【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
構成物本体と、
前記構成物本体の少なくとも一部において形成されたメッシュパターンと
を含み、前記構成物本体が組織マトリックスまたは合成材料を含む、治療のための構成物であって、
インプラントまたは組織拡張器の周囲を前記構成物本体が完全に、もしくはほぼ完全に包み込むか、あるいはその上に前記構成物が配置されるように、前記メッシュパターンにおいて構成物本体を伸張及び拡張するように構成される、前記構成物。
【請求項２】
前記組織マトリックスが、平坦かつ可撓性の形状を画定する組織マトリックスシートである、請求項１に記載の構成物。
【請求項３】
前記組織マトリックスが、無細胞組織マトリックスである、請求項１〜２のいずれか一項に記載の構成物。
【請求項４】
前記組織マトリックスが、無細胞真皮マトリックスである、請求項１〜３のいずれか一項に記載の構成物。
【請求項５】
前記構成物本体が、中央領域と、前記中央領域から延在する４つの延在部を含む、請求項１〜４のいずれか一項に記載の構成物。
【請求項６】
前記４つの延在部の少なくとも１つが、その中に形成された前記メッシュパターンを含む、請求項１〜５のいずれか一項に記載の構成物。
【請求項７】
前記中央領域が、その中に形成された前記メッシュパターンを含む、請求項１〜６のいずれか一項に記載の構成物。
【請求項８】
前記４つの延在部のうちの少なくとも２つを互いに対して連結するために構成された締結要素を含む、請求項１〜７のいずれか一項に記載の構成物。
【請求項９】
前記締結要素が直線の細長い本体を含む、請求項１〜８のいずれか一項に記載の構成物。
【請求項１０】
前記締結要素がＴ形を画定する、請求項１〜８のいずれか一項に記載の構成物。
【請求項１１】
前記構成物本体が、上部領域、中央領域及び底部領域を含む、請求項１〜４のいずれか一項に記載の構成物。
【請求項１２】
前記中央領域の対向側部から延在する第１のフラップ及び第２のフラップを含む、請求項１〜４及び１１のいずれか一項に記載の構成物。
【請求項１３】
前記底部領域の端縁に隣接して一体形成された少なくとも１つのストラップを含む、請求項１〜４及び１１〜１２のいずれか一項に記載の構成物。
【請求項１４】
包み込む形状で前記構成物本体を維持するように、前記少なくとも１つのストラップが、前記インプラントまたは組織拡張器の一部の周囲で伸張するように構成される、請求項１〜４及び１１〜１２のいずれか一項に記載の構成物。
【請求項１５】
前記構成物本体が、前記構成物本体の一端から延在する２つのフラップを含む、請求項１〜４のいずれか一項に記載の構成物。
【請求項１６】
前記インプラントまたは組織拡張器の周囲を完全に、またはほぼ完全に包み込む状態で前記構成物本体を維持するように、前記２つのフラップが、前記メッシュパターンのスリットを通過するように構成される、請求項１〜４及び１５のいずれか一項に記載の構成物。
【請求項１７】
前記構成物本体が、第１の構成物半部分及び第２の構成物半部分を含む、請求項１〜４のいずれか一項に記載の構成物。
【請求項１８】
前記第１の構成物半部分が、上部端縁から延在する２つのフラップ及び底部端縁から延在する２つのフラップを含む、請求項１〜４及び１７のいずれか一項に記載の構成物。
【請求項１９】
前記インプラントまたは組織拡張器の周囲を完全に、またはほぼ完全に包み込む状態で前記構成物を維持するように、前記第１の構成物半部分の前記上部端縁から延在する前記２つのフラップが、前記第２の構成物半部分の一端の前記メッシュパターンのスリット中を通過するように構成され、かつ前記第１の構成物半部分の前記底部端縁から延在する前記２つのフラップが、前記第２の構成物半部分の対向端の前記メッシュパターンのスリット中を通過するように構成される、請求項１〜４及び１７〜１８のいずれか一項に記載の構成物。
【請求項２０】
（ｉ）構成物本体を画定する組織マトリックスまたは合成材料と、（ｉｉ）前記構成物本体の少なくとも一部において形成されたメッシュパターンとを含む、構成物、及び
インプラントまたは組織拡張器
を含む、治療のためのシステムであって、
前記構成物本体が、前記インプラントまたは前記組織拡張器の周囲を前記構成物本体が完全に、もしくはほぼ完全に包み込むか、あるいはその上に前記構成物が配置されるように、前記メッシュパターンにおいて伸張及び拡張するように構成される、前記システム。
【請求項２１】
前記組織マトリックスが、平坦かつ可撓性の形状を画定する組織マトリックスシートである、請求項２０に記載のシステム。
【請求項２２】
前記組織マトリックスが、無細胞組織マトリックスである、請求項２０〜２１のいずれか一項に記載のシステム。
【請求項２３】
前記組織マトリックスが、無細胞真皮マトリックスである、請求項２０〜２１のいずれか一項に記載のシステム。
【請求項２４】
前記構成物本体が、中央領域と、前記中央領域から延在する４つの延在部を含む、請求項２０〜２３のいずれか一項に記載のシステム。
【請求項２５】
前記４つの延在部の少なくとも１つが、その中に形成された前記メッシュパターンを含む、請求項２０〜２４のいずれか一項に記載のシステム。
【請求項２６】
前記中央領域が、その中に形成された前記メッシュパターンを含む、請求項２０〜２５のいずれか一項に記載のシステム。
【請求項２７】
前記４つの延在部のうちの少なくとも２つを互いに対して連結するために構成された締結要素を含む、請求項２０〜２６のいずれか一項に記載のシステム。
【請求項２８】
前記締結要素が直線の細長い本体を含む、請求項２０〜２７のいずれか一項に記載のシステム。
【請求項２９】
前記締結要素がＴ形を画定する、請求項２０〜２８のいずれか一項に記載のシステム。
【請求項３０】
前記構成物本体が、上部領域、中央領域及び底部領域を含む、請求項２０〜２３のいずれか一項に記載のシステム。
【請求項３１】
前記中央領域の対向側部から延在する第１のフラップ及び第２のフラップを含む、請求項２０〜２３及び３０のいずれか一項に記載のシステム。
【請求項３２】
前記底部領域の端縁に隣接して一体形成された少なくとも１つのストラップを含む、請求項２０〜２３及び３０〜３１のいずれか一項に記載のシステム。
【請求項３３】
包み込む形状で前記構成物本体を維持するように、前記少なくとも１つのストラップが、前記インプラントまたは組織拡張器の一部の周囲で伸張するように構成される、請求項２０〜２３及び３０〜３２のいずれか一項に記載のシステム。
【請求項３４】
前記構成物本体が、前記構成物本体の一端から延在する２つのフラップを含む、請求項２０〜２３のいずれか一項に記載のシステム。
【請求項３５】
前記インプラントまたは組織拡張器の周囲を完全に、またはほぼ完全に包み込む状態で前記構成物本体を維持するように、前記２つのフラップが、前記メッシュパターンのスリットを通過するように構成される、請求項２０〜２３及び３４のいずれか一項に記載のシステム。
【請求項３６】
前記構成物本体が、第１の構成物半部分及び第２の構成物半部分を含む、請求項２０〜２３のいずれか一項に記載のシステム。
【請求項３７】
前記第１の構成物半部分が、上部端縁から延在する２つのフラップ及び底部端縁から延在する２つのフラップを含む、請求項２０〜２３及び３６のいずれか一項に記載のシステム。
【請求項３８】
前記インプラントまたは組織拡張器の周囲を完全に、またはほぼ完全に包み込む状態で前記構成物を維持するように、前記第１の構成物半部分の前記上部端縁から延在する前記２つのフラップが、前記第２の構成物半部分の一端の前記メッシュパターンのスリット中を通過するように構成され、かつ前記第１の構成物半部分の前記底部端縁から延在する前記２つのフラップが、前記第２の構成物半部分の対向端の前記メッシュパターンのスリット中を通過するように構成される、請求項２０〜２３及び３６〜３７のいずれか一項に記載のシステム。